(57)【要約】      （修正有）【課題】アーチワイヤーを挿通させる部分と固定ピンの挿通孔の強度的向上を図ることで、歯牙にあまり負担をかけない歯列矯正用ブラケットを提供すること。【解決手段】合成樹脂製又はセラミックス製のブラケット本体２の裏面側全体に形成した、歯牙の表面に接着させる接着面５と、ブラケット本体２の表面側に、アーチワイヤー挿通路４の溝の長手形成方向と同一方向になる溝部６ａを上下位置にそれぞれ形成したタイウィング６と、ブラケット本体２に、アーチワイヤー挿通路４の形成方向に対して直交するように、タイウィング６を形成する一方の溝部６ａから他方の溝部６ａへ向けて貫通させたピン挿通孔８と、から成り、アーチワイヤーの挿通路４とピン挿通孔８部分の強度を高めるために、ワイヤースロット補強材７を心材（骨材）にして一体的に成形した。【選択図】図１
2005245919.tif 000002
【特許請求の範囲】
【請求項１】
ブラケット本体（２）に、矩形状の溝から成るアーチワイヤー挿通路（４）を形成した歯列矯正用ブラケット（１）であって、
前記ブラケット本体（２）の裏面側全体に形成した、歯牙の表面に接着させる接着面（５）と、
前記ブラケット本体（２）の表面側に、前記アーチワイヤー挿通路（４）の溝の長手形成方向と同一方向になる溝部（６ａ）を上下位置にそれぞれ形成したタイウィング（６）と、
前記ブラケット本体（２）に、前記アーチワイヤー挿通路（４）の形成方向に対して直交するように、前記タイウィング（６）を形成する一方の溝部（６ａ）から他方の溝部（６ａ）へ向けて貫通させたピン挿通孔（８）と、から成り、
前記アーチワイヤー挿通路（４）を補強する、断面が略コ字形状のワイヤースロット部（７ａ）と該ワイヤースロット部（７ａ）の上下の各開口縁（７ｂ，７ｃ）から上方又は下方へそれぞれ突出するように連続形成した、前記ピン挿通孔（８）を補強する補強筒（７ｄ，７ｅ）とから成るワイヤースロット補強材（７）を、前記ブラケット本体（２）に一体化した、ことを特徴とする歯列矯正用ブラケット。
【請求項２】
前記ワイヤースロット補強材（７）は、前記ワイヤースロット部（７ａ）の上側開口縁（７ｂ）と、上側補強筒（７ｄ）の裏面側の下端縁と連続形成し、
前記ワイヤースロット部（７ａ）の下側開口縁（７ｃ）と、下側補強筒（７ｅ）の裏面側の上端縁と連続形成したものである、ことを特徴とする請求項１の歯列矯正用ブラケット。
【請求項３】
前記ワイヤースロット補強材（７）は、１枚の金属板材を切断し、折り曲げ成形した、ことを特徴とする請求項１の歯列矯正用ブラケット。
【請求項４】
前記補強筒（７ｄ，７ｅ）は、横断面が角状の筒材である、ことを特徴とする請求項１の歯列矯正用ブラケット。
【請求項５】
前記補強筒（７ｄ，７ｅ）は、横断面が略円形状の筒材である、ことを特徴とする請求項１の歯列矯正用ブラケット。
【発明の詳細な説明】
【技術分野】
【０００１】
本発明は、歯科治療において歯列を矯正治療する際に用いる矯正器具に係り、特に歯牙に装着する歯列矯正用ブラケットに関するものである。
【背景技術】
【０００２】
歯列矯正治療に際して歯牙にブラケットを装着するときには、金属製、合成樹脂製又はセラミックス製のブラケットを各歯牙の表面に接着剤で固定し、これらのブラケット列にアーチワイヤーを通し、この復元力を有するアーチワイヤーの形状に沿って歯列を正しい向きに移動して矯正していく。このアーチワイヤーを個々のブラケットのスロット内に取り付ける技術が種々提案されている。
【０００３】
このようなブラケットに関する技術としては、特許文献１の特開平７−２７５２６５号「歯列矯正用ブラケット」のように、合成樹脂製のブラケットの補強体の保持溝とブラケット本体のスロットとの寸法差をもって、補強体の保持溝をブラケット本体のスロット面より内方に突出させた状態でインサートするようにしたブラケットが提案されている。
【０００４】
【特許文献１】特開平７−２７５２６５号
【０００５】
この特許文献１の「歯列矯正用ブラケット」は、ブラケット本体の耐久性の強化を効果的に図りつつ、歯に接着されたブラケット本体がアーチワイヤーに沿って円滑に移動することを保障するものである。
【０００６】
また、ブラケットの素材は従来より金属製が主流である。しかし、最近では口を開けたときに金属製のブラケットが見えるのを嫌う傾向にある。一方、強化プラスチックやファインセラミックスの出現により、歯牙の色に近い合成樹脂製やセラミックス製のブラケットが提案されている。
【発明の開示】
【発明が解決しようとする課題】
【０００７】
しかし、このような合成樹脂製やセラミックス製のブラケットは、金属製のブラケットに比べて機械強度的な欠点があり、例えばアーチワイヤーを挿通させるアーチワイヤー挿通路部分は長期間の使用により摩耗し、又は破損することがあった。この合成樹脂製やセラミックス製のブラケットは摩擦抵抗が大きいためにアーチワイヤーが滑り難く、また挿通路部分が摩耗することにより、アーチワイヤーに掛けられた矯正のための外力がブラケットから歯牙まで正確に伝達しないという問題を有していた。
【０００８】
また、各ブラケットにアーチワイヤーを取り付ける際、個々のブラケットに細いワイヤーで結紮する作業、リガチャーリングを取り付ける作業が煩雑であるという問題を有していた。
【０００９】
本発明は、かかる問題点を解決するために創案されたものである。すなわち、本発明の目的は、アーチワイヤーを挿通させる部分と固定ピンの挿通孔の強度的向上を図ることで、合成樹脂製又はセラミックス製のブラケットであっても歯牙にあまり負担をかけずに、円滑に移動することができる歯列矯正用ブラケットを提供することにある。
【課題を解決するための手段】
【００１０】
本発明によれば、ブラケット本体（２）に、矩形状の溝から成るアーチワイヤー挿通路（４）を形成した歯列矯正用ブラケット（１）であって、前記ブラケット本体（２）の裏面側全体に形成した、歯牙の表面に接着させる接着面（５）と、前記ブラケット本体（２）の表面側に、前記アーチワイヤー挿通路（４）の溝の長手形成方向と同一方向になる溝部（６ａ）を上下位置にそれぞれ形成したタイウィング（６）と、前記ブラケット本体（２）に、前記アーチワイヤー挿通路（４）の形成方向に対して直交するように、前記タイウィング（６）を形成する一方の溝部（６ａ）から他方の溝部（６ａ）へ向けて貫通させたピン挿通孔（８）と、から成り、前記アーチワイヤー挿通路（４）を補強する、断面が略コ字形状のワイヤースロット部（７ａ）と該ワイヤースロット部（７ａ）の上下の各開口縁（７ｂ，７ｃ）から上方又は下方へそれぞれ突出するように連続形成した、前記ピン挿通孔（８）を補強する補強筒（７ｄ，７ｅ）とから成るワイヤースロット補強材（７）を、前記ブラケット本体（２）に一体化した、ことを特徴とする歯列矯正用ブラケットが提供される。
【００１１】
前記ワイヤースロット補強材（７）は、前記ワイヤースロット部（７ａ）の上側開口縁（７ｂ）と、上側補強筒（７ｄ）の裏面側の下端縁と連続形成し、前記ワイヤースロット部（７ａ）の下側開口縁（７ｃ）と、下側補強筒（７ｅ）の裏面側の上端縁と連続形成したものである。
【００１２】
前記ワイヤースロット補強材（７）は、１枚の金属板材又は合成樹脂板材を切断し、折り曲げ成形したものである。前記補強筒（７ｄ，７ｅ）は、横断面が角状又は略円形状の筒材である。
【発明の効果】
【００１３】
上述したように、本発明の歯列矯正用ブラケット（１）は、ブラケット本体（２）に金属製又は合成樹脂製のワイヤースロット補強材（７）を一体化して、アーチワイヤー挿通路（４）とピン挿通孔（８）を補強しているので、摩擦抵抗の高い合成樹脂製材又はセラミックス製材のブラケット本体（２）であってもアーチワイヤー（３）に沿って円滑に滑ることができる。また、固定ピン（９）を差し込むときにもブラケット本体（２）が破損することはない。
【００１４】
また、本発明の歯列矯正用ブラケット（１）は、叢生のある歯列弓、即ち凸凹した歯並びの被歯列矯正者に対してもあまり負担をかけずに、その取り付け作業を容易に完了させることができる。即ち、従来のブラケットのように、ブラケットを歯牙に接着して、アーチワイヤーをスロット内に取り付ける際、細いワイヤーで結紮したり、リガチャーリングで取り付けるといったテクニックを要する作業が必要なくなった。
【発明を実施するための最良の形態】
【００１５】
本発明の歯列矯正用ブラケットは、ブラケット本体が合成樹脂製又はセラミックス製のブラケットに形成したアーチワイヤーの挿通路とピン挿通孔部分の強度を高めるために、ワイヤースロット補強材を心材にして成形したものである。更に、この補強材が金属製であるので、合成樹脂製等のブラケット本体であってもアーチワイヤーに沿って円滑に滑らせることができる。
【実施例１】
【００１６】
以下、本発明の好ましい実施の形態を図面を参照して説明する。
図１は本発明の実施例１の歯列矯正用ブラケットに固定ピンを差し込む状態を示す斜視図である。図２はワイヤースロット補強材の拡大斜視図である。図３は歯列矯正用ブラケットのアーチワイヤー挿通路にアーチワイヤーを挿通した状態の正面図（ａ）と側断面図（ｂ）である。
本発明の歯列矯正用ブラケット１は、ブラケット本体２にアーチワイヤー３を挿通するアーチワイヤー挿通路４を形成し、このブラケット本体２の裏面側に歯牙の表面に接着させる接着面５を、その表面側にリガチャーワイヤーを巻き付けるために上下方向に溝部６ａを有するタイウィング６とをそれぞれ形成したものである。このブラケット本体２は合成樹脂材製で乳白色やカラフルに着色したもの、透明な素材ものと種々に変形することができる。あるいは、ブラケット本体２はセラミックス製のであっても良く、同様に乳白色やカラフルに着色することが可能である。
【００１７】
図示例はナロータイプの歯列矯正用ブラケット１である。しかし、本発明の歯列矯正用ブラケット１は、シングルタイプでタイウィング６がある程度の強度を有する形状であれば、図示例のようなナロータイプに限定されずミディアムタイプ又はワイドタイプの何れの形状にもすることができる。
【００１８】
ブラケット本体２の裏面側に形成した接着面５は、歯牙の表面に接着剤により接着する部分である。この接着面５は、歯牙に接着するときにその密着性を高めるために、微細な凹凸面を形成することが望ましい。あるいは、この接着面５にブラケット本体２の材質とは異なる別の材質の素材で形成することも可能である。
【００１９】
ブラケット本体２の表面側に形成したタイウィング６は、図示上では上下方向にそれぞれに向いた溝部６ａを形成してある。本発明は、後述する固定ピン９を用いて容易にアーチワイヤー３に取り付けられるようになっている。しかし、従来のように、このタイウィング６の溝部６ａにリガチャーワイヤーを巻き付けることにより、歯列矯正用ブラケット１をアーチワイヤー３に確実に取り付けることも勿論可能である。
【００２０】
ブラケット本体２の表面側にはピン挿通孔８を貫通させている。このピン挿通孔８は、アーチワイヤー挿通路４のアーチワイヤー３の挿通方向に対して直交するように、タイウィング６を形成する一方の溝部６ａから他方の溝部６ａへ向けて貫通させている。
【００２１】
本発明のブラケット本体２は、アーチワイヤーの挿通路４とピン挿通孔８部分の強度を高めるために、ワイヤースロット補強材７を心材（骨材）にして一体的に成形した。このワイヤースロット補強材７は、断面が略コ字形状のワイヤースロット部７ａとこのワイヤースロット部７ａの上側開口縁７ｂと、上側補強筒７ｄの裏面側の下端縁と連続形成し、ワイヤースロット部７ａの下側開口縁７ｃと、下側補強筒７ｅの裏面側の上端縁と連続形成したものである。ワイヤースロット部７ａはアーチワイヤー挿通路４を補強し、各補強筒７ｄ，７ｅはピン挿通孔８をそれぞれ補強する。
【００２２】
このワイヤースロット補強材７は、１枚の金属板材をワイヤースロット部７ａと補強筒７ｄ，７ｅを形作るように切断し、折り曲げ成形したものである。また、この金属板材に代えて剛性の高い合成樹脂板を心材（骨材）として用いることも可能である。
【００２３】
ワイヤースロット補強材７は、１枚の金属板材を切断し、折り曲げて横断面が４角状の筒材になるように成形したものである。これは固定ピン９の軸部分の横断面形状に合わせたものである。
【００２４】
このワイヤースロット補強材７により、摩擦抵抗の高い合成樹脂製材又はセラミックス製材のブラケット本体２であってもアーチワイヤー３に沿って円滑に滑ることができる。また、固定ピン９を差し込むときにもブラケット本体２を破損することがない。
【００２５】
このように構成したワイヤースロット補強材７で補強したピン挿通孔８には、一端に抜け止め９ａを具備した固定ピン９挿抜自在に挿通させるようになっている。この固定ピン９は、ピン挿通孔８に抜け止め９ａ部分がタイウィング６の溝部６ａに収まるまで差し込み、タイウィング６溝部６ａから突出した固定ピン９の先端をある程度曲折させることにより、その抜け落ちを阻止することができる。
【００２６】
例えば、固定ピン９は、抜け止め９ａが略Ｔ字形状からなり、かつこの頭部がタイウィング６の溝部６ａに嵌合し得る大きさに形成したものである。この固定ピン９の抜け止め９ａ部分を、タイウィング６の溝部６ａに嵌合させることにより、固定ピン９の抜け落ちることがない。しかし、この固定ピン９は、抜け止め９ａを具備していれば、図示した形状に限定されないことは勿論である。また、固定ピン９の材質も金属に限定されずプラスチックを用いることも可能である。
【００２７】
固定ピンは、上述したように略Ｔ字形状の形態に限定されずに、頭部にフック（図示していない）を形成することができる。このように固定ピンに形成したフックにはスプリングや輪ゴムを掛け止めることが可能になる。また、従来のブラケットにフックが一体化したフック付ブラケットは、これを歯牙に接着してからフックだけをはずしたり、近遠心的にフックの方向を変えたりすることは不可能であった。しかし、本発明の歯列矯正用ブラケット１では、何種類かの固定ピンを準備することで、その固定ピンを裏返にしたり、上下を逆さまにしたりして差し込めば、フックの方向を容易に変えて、歯牙を近遠心的に簡単に牽引することができる。
【００２８】
本発明の歯列矯正用ブラケット１は、叢生のある歯列弓、即ち凸凹した歯並びの歯牙に接着する際にも、その被歯列矯正者に対してあまり負担をかけずに、その取り付け作業を容易に完了させることができる。即ち、本発明の歯列矯正用ブラケット１では、従来のブラケットのように、歯牙に接着した後に、アーチワイヤーをスロット内に取り付け、細いワイヤーで結紮したり、リガチャーリングで取り付けるといった作業が必要なくなる。
【００２９】
また、従来の歯列矯正器材のコンパーチブルブラケットでは、キャップを剥がす時に、なかなか剥がれなかったり、患者が食事中に外れたり、また突然剥がれたりすることがあった。矯正治療中にこのような不具合がおきるとアーチワイヤーをリガチャーワイヤーかリガチャーリングで留めなくてはならなかった。しかし、このような時でも本発明の歯列矯正用ブラケット１においては、固定ピン９を差し込むだけでアーチワイヤー３を簡単に再固定することができる。本発明の歯列矯正用ブラケット１は、その構造上から上下両側の第二大臼歯を除いて、その他の種々の歯牙に使用することができる。
【実施例２】
【００３０】
図４は実施例２のワイヤースロット補強材を示す斜視図である。
実施例２のワイヤースロット補強材７は、その上側補強筒７ｄと下側補強筒７ｅの横断面を略円形状の筒材とすることが可能である。これは固定ピン９の断面が円形状の軸部分に合わせるためである。このようにピン挿通孔８と固定ピン９の軸断面形状に合わせて補強筒の形状は種々変更することができる。
【００３１】
なお、本発明は上述した発明の実施の形態に限定されず、アーチワイヤー３を挿通させる部分とピン挿通孔８部分の強度を向上させるために、金属板材を曲折して補強材を形成した構造であれば、図示したような構成に限定されず、本発明の要旨を逸脱しない範囲で種々変更できることは勿論である。
【産業上の利用可能性】
【００３２】
本発明の歯列矯正用ブラケットは、アーチワイヤーに掛けられた矯正のための外力をブラケット本体から歯牙まで正確に伝達することができるので、摩擦抵抗が大きい合成樹脂製、セラミックス製等の非金属製のブラケットに利用することができる。
【図面の簡単な説明】
【００３３】
【図１】本発明の実施例１の歯列矯正用ブラケットに固定ピンを差し込む状態を示す斜視図である。
【図２】ワイヤースロット補強材の拡大斜視図である。
【図３】歯列矯正用ブラケットのアーチワイヤー挿通路にアーチワイヤーを挿通した状態の正面図（ａ）と側断面図（ｂ）である。
【図４】実施例２のワイヤースロット補強材を示す斜視図である。
【符号の説明】
【００３４】
１  歯列矯正用ブラケット
２  ブラケット本体
３  アーチワイヤー
４  アーチワイヤー挿通路
５  接着面
６  タイウィング
６ａ  タイウィングの溝部
７  ワイヤースロット補強材
７ａ  ワイヤースロット部
７ｂ  上側開口縁
７ｃ  下側開口縁
７ｄ  上側補強筒
７ｅ  下側補強筒
８  ピン挿通孔
９  固定ピン
９ａ  固定ピンの抜け止め（頭部）
【図１】
2005245919.tif 000003
【図２】
2005245919.tif 000004
【図３】
2005245919.tif 000005
【図４】
2005245919.tif 000006